(57)【特許請求の範囲】
【請求項１】
被写体像を撮像して画像のデータを生成する撮像部と、
前記画像のデータに対して複数の画像処理を施す画像処理部と、
前記画像処理の設定変更の入力を受け付ける操作部と、
ユーザーによって編集された前記画像処理のカスタムパラメータを記憶する記憶部と、
前記カスタムパラメータを適用して前記画像処理を行う第１モードと前記カスタムパラメータを適用せずに前記画像処理を行う第２モードとを切り替えるとともに、前記操作部の入力に応じて前記画像処理の設定変更を行う制御部と、を備え、
前記カスタムパラメータは、画質を調整する複数の項目のパラメータ群を有し、
前記制御部は、前記第１モードのときに、前記パラメータ群のうち、編集されたカスタムパラメータに関連する前記パラメータの項目について前記画像処理の設定変更を不能化することを特徴とする撮像装置。
【請求項２】
請求項１に記載の撮像装置において、
前記制御部は、前記パラメータ群のうち、前記カスタムパラメータと関連しない前記パラメータの項目について前記画像処理の設定変更を許可することを特徴とする撮像装置。
【請求項３】
被写体像を撮像して画像のデータを生成する撮像部と、
前記画像のデータに対して複数の画像処理を施す画像処理部と、
前記画像処理の設定変更の入力を受け付ける操作部と、
ユーザーによって編集された前記画像処理のカスタムパラメータを記憶する記憶部と、
前記カスタムパラメータを適用して前記画像処理を行う第１モードと前記カスタムパラメータを適用せずに前記画像処理を行う第２モードとを切り替えるとともに、前記操作部の入力に応じて前記画像処理の設定変更を行う制御部と、を備え、
前記制御部は、前記第１モードのときに、ユーザーの編集したカスタムパラメータと競合し、かつ前記カスタムパラメータとは名称の異なるパラメータの項目について前記画像処理の設定変更を不能化することを特徴とする撮像装置。
【請求項４】
請求項１から請求項３のいずれか１項に記載の撮像装置において、
前記画像処理の設定変更を行うための操作画面を表示するモニタをさらに備え、
前記制御部は、前記第１モードのときに、前記操作画面上に前記カスタムパラメータの適用を示す表示を行うことを特徴とする撮像装置。
【請求項５】
請求項１から請求項４のいずれか１項に記載の撮像装置において、
前記カスタムパラメータは、前記画像のデータに対する階調変換特性であって、
前記制御部は、階調変換による明るさの調整および階調変換によるコントラストの調整の少なくとも一方の項目について前記画像処理の設定変更を不能化することを特徴とする撮像装置。
【発明の詳細な説明】
【技術分野】
【０００１】
本発明は、撮像装置に関する。
【背景技術】
【０００２】
従来から、電子カメラや画像処理を行うコンピュータでは、画像処理の設定をユーザーにカスタマイズさせる機能を有している。特に、近年の電子カメラでは、ユーザーがカスタマイズした画像処理のパラメータを予め記憶させておき、モード選択によって上記のパラメータを適用することでユーザーの意図する画像処理の設定状態を再現することも検討されている。なお、特許文献１には、画像処理の補正量をカスタマイズできる画像補正装置の一例が開示されている。
【特許文献１】特開２００５−２０８８８４号公報
【発明の開示】
【発明が解決しようとする課題】
【０００３】
ところで、電子カメラでユーザーがカスタマイズした画像処理のパラメータを適用している状態においても、カスタマイズされていない他のパラメータをユーザーがさらに微調整したいと考える場合もある。しかし、上記の場合において画像処理の設定変更を制限無く受け付けると、パラメータの設定に競合が生じる場合もある。その結果、画像の仕上がりがユーザーの意図からかけ離れたものとなってユーザーが混乱をきたす可能性もある。
【０００４】
本発明は上記従来技術の課題を解決するためのものである。本発明の目的は、ユーザーがカスタマイズした画像処理のパラメータの適用時に、画像の仕上がりがユーザーの意図に反するようなパラメータの設定変更を防止する手段を提供することにある。
【課題を解決するための手段】
【０００５】
本発明の一例である撮像装置は、撮像部と、画像処理部と、操作部と、記憶部と、制御部とを備える。撮像部は、被写体像を撮像して画像のデータを生成する。画像処理部は、画像のデータに対して複数の画像処理を施す。操作部は、画像処理の設定変更の入力を受け付ける。記憶部は、ユーザーによって編集された画像処理のカスタムパラメータを記憶する。制御部は、カスタムパラメータを適用して画像処理を行う第１モードとカスタムパラメータを適用せずに画像処理を行う第２モードとを切り替えるとともに、操作部の入力に応じて画像処理の設定変更を行う。カスタムパラメータは、画質を調整する複数の項目のパラメータ群を有する。そして、制御部は、第１モードのときに、パラメータ群のうち、編集されたカスタムパラメータに関連するパラメータの項目について画像処理の設定変更を不能化する。
本発明の他の例である撮像装置は、撮像部と、画像処理部と、操作部と、記憶部と、制御部とを備える。撮像部は、被写体像を撮像して画像のデータを生成する。画像処理部は、画像のデータに対して複数の画像処理を施す。操作部は、画像処理の設定変更の入力を受け付ける。記憶部は、ユーザーによって編集された画像処理のカスタムパラメータを記憶する。制御部は、カスタムパラメータを適用して画像処理を行う第１モードとカスタムパラメータを適用せずに画像処理を行う第２モードとを切り替えるとともに、操作部の入力に応じて画像処理の設定変更を行う。そして、制御部は、第１モードのときに、ユーザーの編集したカスタムパラメータと競合し、かつカスタムパラメータとは名称の異なるパラメータの項目について画像処理の設定変更を不能化する。
【発明の効果】
【０００８】
本発明の撮像装置では、ユーザーが生成したカスタムパラメータを適用して画像処理を行うときには、カスタムパラメータに関連する項目についての画像処理の設定変更が不能化される。そのため、画像の仕上がりがユーザーの意図からかけ離れたものとなるおそれは低減する。
【発明を実施するための最良の形態】
【０００９】
図１は、本実施形態の電子カメラの構成を示すブロック図である。電子カメラは、撮像光学系１１と、撮像素子１２と、ＡＦＥ１３と、画像処理部１４と、第１メモリ１５と、記録Ｉ／Ｆ１６と、モニタ１７と、通信部１８と、レリーズ釦１９および操作部材２０と、ＣＰＵ２１と、第２メモリ２２と、バス２３とを有している。ここで、画像処理部１４、第１メモリ１５、記録Ｉ／Ｆ１６、モニタ１７、通信部１８、ＣＰＵ２１および第２メモリ２２は、それぞれバス２３を介して接続されている。また、レリーズ釦１９および操作部材２０は、それぞれＣＰＵ２１に接続されている。
【００１０】
撮像光学系１１は、ズームレンズやフォーカシングレンズを含む複数のレンズ群で構成されている。なお、簡単のため、図１では撮像光学系１１を１枚のレンズとして図示する。
【００１１】
撮像素子１２は、撮像光学系１１を通過した光束による被写体像を撮像して記録画像（本画像）のデータを生成する。この撮像素子１２の出力は、ＡＦＥ１３と接続されている。
【００１２】
撮像素子１２の受光面には受光素子が２次元配列されており、この受光面に結像した被写体像を光電変換してアナログの画像信号を生成する。また、撮像素子１２の各受光素子には、赤色（Ｒ）、緑色（Ｇ）、青色（Ｂ）のいずれかのカラーフィルタが公知のベイヤー配列にしたがって配置されている。そのため、撮像素子１２の各受光素子は、カラーフィルタでの色分解によってそれぞれの色に対応する画像信号を出力する。
【００１３】
ＡＦＥ１３は、撮像素子１２の出力に対してアナログ信号処理を施すアナログフロントエンド回路である。このＡＦＥ１３は、相関二重サンプリングや、画像信号のゲインの調整や、画像信号のＡ／Ｄ変換を行う。なお、ＡＦＥ１３の出力は画像処理部１４に接続されている。
【００１４】
画像処理部１４は、画像のデータに対して、各種の画像処理（色補間処理、階調変換処理、輪郭強調処理、ホワイトバランス調整、色補正、彩度調整など）を施すＡＳＩＣである。
【００１５】
第１メモリ１５は、画像処理部１４による画像処理の前工程や後工程で画像のデータを一時的に記憶するバッファメモリである。
【００１６】
記録Ｉ／Ｆ１６には、記憶媒体２４を接続するためのコネクタが形成されている。そして、記録Ｉ／Ｆ１６は、コネクタに接続された記憶媒体２４に対してデータの書き込み／読み込みを実行する。上記の記憶媒体２４は、ハードディスクや、半導体メモリを内蔵したメモリカードなどで構成される。なお、図１では記憶媒体２４の一例としてメモリカードを図示する。
【００１７】
モニタ１７は、ＣＰＵ２１の指示に応じて各種画像を表示する。例えば、モニタ１７には、ＣＰＵ２１の制御によって各種の設定項目の入力が可能なメニュー画面が表示される。このメニュー画面での表示処理や設定変更処理などは、いずれもＣＰＵ２１がプログラムに基づいて実行する。なお、本実施形態でのモニタ１７の構成は、接眼部を有する電子ファインダや、カメラ筐体の背面などに設けられる液晶表示パネルのいずれでもよい。
【００１８】
通信部１８は、有線または無線による公知の通信規格の仕様に準拠して、外部の装置（パーソナルコンピュータなど）とのデータ送受信を制御する。例えば、通信部１８は、ＵＳＢ（Universal Serial Bus）規格による有線のシリアル通信や、無線ＬＡＮまたはＢｌｕｅｔｏｏｔｈなどによる無線通信でデータを送受する。
【００１９】
レリーズ釦１９は、半押し操作による撮影前のオートフォーカス（ＡＦ）動作開始の指示入力と、全押し操作による撮像動作開始の指示入力とをユーザーから受け付ける。
【００２０】
操作部材２０は、例えば、コマンドダイヤル、十字状のカーソルキー、決定釦などで構成される。そして、操作部材２０は電子カメラの各種入力をユーザーから受け付ける。例えば、操作部材２０は、上記のメニュー画面での入力操作や、電子カメラのモード選択操作などに用いられる。
【００２１】
ここで、操作部材２０で選択できるモードの種類は、電子カメラ全体の動作モード（例えば、撮影モード、再生モードなど）と、画像処理部１４の画質調整モード（例えば、Standardモード、Neutralモード、Vividモードなど）とに大別できる。この画質調整モードは本画像のデータに施される画像処理の内容を規定するものであって、各々の画質調整モードの項目はそれぞれ異なるパラメータ群と対応付けされている。なお、ＣＰＵ２１は、画質調整モードの一つとして、ユーザーが編集したカスタムパラメータを適用する画質調整モード（usercustomモード）を登録することもできる。
【００２２】
ＣＰＵ２１は、電子カメラの各部を統括的に制御するプロセッサである。例えば、上記の撮影モードでは、ＣＰＵ２１は、撮像素子１２を駆動させて本画像の撮像を行うとともに、画像処理部１４に各種の画像処理を実行させる。そして、ＣＰＵ２１は、記録Ｉ／Ｆ１６を介して画像処理後の本画像のデータを記憶媒体２４に記録する。
【００２３】
また、ＣＰＵ２１は、ユーザーが選択した上記の画質調整モードに応じて、画像処理部１４に対して画像処理のパラメータ群を入力する。さらに、ＣＰＵ２１は、メニュー画面でのユーザーの入力に応じて任意の画像処理のパラメータを変更することもできる。
【００２４】
第２メモリ２２はフラッシュメモリ等の不揮発性の記憶媒体で構成される。この第２メモリ２２には、各画質調整モードに対応する画像処理のパラメータ群が複数記憶される。ここで、上記のusercustomモードに対応するパラメータ群は、例えば、電子カメラ内または外部のＰＣにおいてユーザーが生成する。なお、外部のＰＣで生成されたパラメータ群のデータは、記録Ｉ／Ｆ１６の記憶媒体２４や通信部１８を介して電子カメラに読み込まれる。
【００２５】
以下、本実施形態でのメニュー画面での操作例について具体的に説明する。まず、ＣＰＵ２１はメニュー画面の起動操作に応じて所定のプログラムを立ち上げて、モニタ１７にメニュー画面を表示させる。その後、メニュー画面上で「画質調整モード」の項目がユーザーによって選択されると、ＣＰＵ２１は画質調整モードに関する第１表示画面をモニタ１７に表示する。
【００２６】
図２は、画質調整モードに関する第１表示画面を示す図である。この第１表示画面には、ユーザーが選択可能な画質調整モードの一覧（Standardモード、Neutralモード、Vividモード、usercustomモード）が表示される。なお、ユーザーが編集したカスタムパラメータが第２メモリ２２に複数ある場合には、第１表示画面でのusercustomモードの項目数もカスタムパラメータの登録数に応じて増加する。
【００２７】
この第１表示画面でユーザーがいずれかの画質調整モードの項目を指定すると、ＣＰＵ２１は指定された画質調整モードに対応するパラメータ群を第２メモリ２２から読み出して、画像処理部１４にそのパラメータ群をセットする。その後、ユーザーが電子カメラで撮影を行うと、画像処理部１４は上記のパラメータ群を適用して本画像のデータに画像処理を施すこととなる。
【００２８】
一方、メニュー画面上で「画像処理の設定変更」の項目がユーザーによって選択されると、ＣＰＵ２１は画像処理の設定変更に関する第２表示画面をモニタ１７に表示する。
【００２９】
図３は、画像処理の設定変更に関する第２表示画面を示す図である。なお、図３の例では、usercustomモード以外の画質調整モードが指定されている状態（例えばVividモードが指定された状態）を前提として説明を行う。
【００３０】
この第２表示画面では、「輪郭強調」、「コントラスト」、「明るさ」、「色の濃さ（彩度）」、「色合い（色相）」の各項目の調整操作をＣＰＵ２１がユーザーから受け付ける。ユーザーは操作部材２０によって画面上のスライドバーをシフトさせて、各項目の度合いをＣＰＵ２１に対して入力する。なお、第２表示画面では、指定されている画質調整モードの名称（Vividモード）も表示される。
【００３１】
具体的には、第２表示画面での「輪郭強調」の項目の操作に応じて、ＣＰＵ２１は画像処理部１４で適用される輪郭強調フィルタを変更する。
【００３２】
また、第２表示画面での「コントラスト」、「明るさ」の項目の操作に応じて、ＣＰＵ２１はＲＧＢのすべての階調値に適用するトーンカーブを調整する。「コントラスト」の項目を強めたときには、ＣＰＵ２１はトーンカーブをＳ字状にして明るい部分と暗い部分との差を大きくし、画像の調子を硬調にする。「コントラスト」の項目を弱めたときには、ＣＰＵ２１はトーンカーブを逆Ｓ字状にして明るい部分と暗い部分との差を小さくし、画像の調子を軟調にする（図４（ａ）参照）。
【００３３】
また、「明るさ」の項目を強めたときには、ＣＰＵ２１はトーンカーブの中間部を押し上げて画像全体が明るくなるようにする。「明るさ」の項目を弱めたときには、ＣＰＵ２１はトーンカーブの中間部を押し下げて画像全体が暗くなるようにする（図４（ｂ）参照）。
【００３４】
さらに、第２表示画面での「色の濃さ（彩度）」、「色合い（色相）」の項目の操作に応じて、ＣＰＵ２１は画像処理部１４での色補正の補正量を調整する。例えば、ＣＰＵ２１は、ＹＣｂＣｒの変換後に色差のＣｂＣｒに対する補正量を変更し、画像の彩度および色相を調整する。
【００３５】
次に、画質調整モードがusercustomモードであるときの第２表示画面の状態を説明する。一般にusercustomモードが指定されている場合には、ユーザーは自らがセッティングしたカスタムパラメータの状態を大きく変更する意図はないと考えられる。したがって、第２表示画面でＣＰＵ２１がすべての設定変更を制限無く受け付けると、画像の仕上がりがユーザーの意図からかけ離れたものとなる可能性もある。そのため、画質調整モードがusercustomモードであるときには、ＣＰＵ２１はカスタムパラメータと競合する補正項目について、第２表示画面での設定変更操作を不能化する。
【００３６】
図５にusercustomモードのときの第２表示画面の表示例を示す。なお、図５の例では、ＲＧＢすべての値に適用されるトーンカーブがカスタムパラメータに含まれている場合を前提とする。
【００３７】
図５の第２表示画面では、カスタムパラメータのトーンカーブを優先するために、トーンカーブの補正に関する「コントラスト」、「明るさ」の項目の入力がＣＰＵ２１によって不能化される。すなわち、ユーザーは、カスタムパラメータと競合しない「輪郭強調」、「色の濃さ（彩度）」、「色合い（色相）」の項目のみ設定変更を行うことができる。これにより、usercustomモードのときにはカスタムパラメータの設定が優先されるので、画像の仕上がりがユーザーの意図からかけ離れたものとなることを防止できる。また、カスタムパラメータと競合しない画像処理については、ユーザーが第２表示画面で自由に設定を変更できるので、電子カメラの利便性をより向上させることができる。
【００３８】
また、図５の第２表示画面では、設定変更が不能化された「コントラスト」、「明るさ」について、ＣＰＵ２１は項目の文字の表示色や大きさを変更するとともに、スライドバーの位置に「ＵＳＥＲ」のマークを表示する。これにより、不能化された設定変更の項目がカスタムパラメータと競合することを認識しやすくなり、ユーザーが無用の混乱をきたすおそれが低くなる。
【００３９】
（実施形態の補足事項）
上記実施形態におけるカスタムパラメータと第２表示画面で不能化される設定項目との組み合わせはあくまで一例にすぎない。例えば、カスタムパラメータがＲＧＢの各階調値に対してそれぞれ別々のトーンカーブを有している場合には、ＣＰＵ２１は第２表示画面において「色の濃さ（彩度）」、「色合い（色相）」の項目をさらに不能化してもよい。
【００４０】
なお、本発明は、その精神またはその主要な特徴から逸脱することなく他の様々な形で実施することができる。そのため、上述した実施形態はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【図面の簡単な説明】
【００４１】
【図１】本実施形態の電子カメラの構成を示すブロック図
【図２】画質調整モードに関する第１表示画面の一例を示す図
【図３】画像処理の設定変更に関する第２表示画面の一例を示す図
【図４】（ａ）「コントラスト」の調整でのトーンカーブの変化を示す図、（ｂ）「明るさ」の調整でのトーンカーブの変化を示す図
【図５】usercustomモードのときの第２表示画面の表示例を示す図
【符号の説明】
【００４２】
１２…撮像素子、１４…画像処理部、１７…モニタ、２０…操作部材、２１…ＣＰＵ、２２…第２メモリ
【図１】
0004967880.tif 000002
【図２】
0004967880.tif 000003
【図３】
0004967880.tif 000004
【図４】
0004967880.tif 000005
【図５】
0004967880.tif 000006